(57)【要約】【課題】コネクタ部におけるフェルールの取付構造を簡単にしつつ低コスト化を促進し、光通信の接続信頼性を向上させる。【解決手段】コネクタ用フェルール２８は、筒状部２８ｇをスリーブ部３０の内孔３０ａ内に挿入すると共に、基端部２８ｈをフェルール収容部１３の内部空間１３ｃ内に収容した状態で、スプリング４２及びストッパ部材４３から構成されるファイバ取付部材４４によりコネクタハウジング１４に取り付けられる。コネクタ用フェルール２８の鍔部２８ａは、スプリング４２によりフェルール収容部１３の段差部１３ｂ方向に押し付けられる状態で収容されるため、スリーブ部３０の内孔３０ａ内に収容されたフェルール４１の筒状部４１ｇの先端面とコネクタ用フェルール２８の筒状部２８ｇの先端面とが当接し、ＰＯＦ４０と中継ＰＯＦ２７との光接続損失が起こり難くなる。【選択図】　図２
2004020895.tif 000002
【特許請求の範囲】
【請求項１】
光ファイバを結合する第１のコネクタが嵌合される第２のコネクタからなる光コネクタにおいて、
前記第２のコネクタは、
前記光ファイバの端末部に外装されて、先端部が他の部分よりも小径の筒状部を形成すると共に、この筒状部に続く基端部との境界位置に前記筒状部の外周に沿って少なくとも１つの鍔部が形成されたコネクタ用フェルールと、
前記第１のコネクタとの嵌合方向先端側に前記第１のコネクタの先端部を収容するコネクタ収容空間部を形成すると共に、前記コネクタ収容空間部内に前記コネクタ用フェルールの筒状部を収容するスリーブを突設し、このスリーブの内孔に連通する基端側に前記コネクタ用フェルールの基端部を収容する、前記鍔部の外径よりも大径の内径を有するフェルール収容部を形成し、このフェルール収容部と前記スリーブの内孔の基端部との間に段差部を形成し、前記フェルール収容部の外壁部に前記光ファイバを取り付けるためのファイバ取付部材の係合部が係合する取付部材係合部を形成してなるコネクタハウジングと、
このコネクタハウジングの前記フェルール収容部の段差部方向に、前記コネクタ用フェルールの鍔部を所定のバネ圧をもって押し付ける状態で前記コネクタ用フェルールが外装された前記光ファイバの端末部を前記コネクタハウジングに取り付ける前記ファイバ取付部材とを備えてなる
ことを特徴とする光コネクタ。
【請求項２】
前記ファイバ取付部材は、前記フェルール収容部に前記コネクタ用フェルールを収容した状態で前記フェルール収容部の基端側開口部を塞ぐように前記コネクタハウジングに装着されるストッパ部材と、
前記コネクタ用フェルールの鍔部と前記ストッパ部材との間に装着されて前記コネクタ用フェルールの鍔部を前記フェルール収容部の段差部方向に押圧するように付勢するスプリングとを備えてなり、
前記ストッパ部材は、前記コネクタハウジングへの装着時に、前記コネクタハウジングの前記取付部材係合部と対応する位置に前記係合部を形成してなる
ことを特徴とする請求項１記載の光コネクタ。
【請求項３】
前記コネクタハウジングの取付部材係合部は、突起部であり、前記ストッパ部材の係合部は、前記コネクタハウジングへの装着時に、前記突起部を乗り越えて前記突起部と係合する係合片であることを特徴とする請求項２記載の光コネクタ。
【請求項４】
前記コネクタ用フェルールは、金属又は樹脂からなるものであることを特徴とする請求項１〜３のいずれか１項記載の光コネクタ。
【発明の詳細な説明】
【０００１】
【発明の属する技術分野】
この発明は、自動車用高速光ＬＡＮ（Ｌｏｃａｌ　Ａｒｅａ　Ｎｅｔｗｏｒｋ）等に用いられるＰＯＦ（Ｐｌａｓｔｉｃ　Ｏｐｔｉｃａｌ　Ｆｉｂｅｒ）等の光ファイバ同士を結合させる光コネクタに関する。
【０００２】
【従来の技術】
図３は、光ＬＡＮシステム等の光通信システムの基本構成の一部を示す概略図である。図３に示すように、光通信システムでは、一方のデバイス１００及び他方のデバイス（図示せず）がＰＯＦ１４０を介して相互に接続されている。一方のデバイス１００及び他方のデバイスとＰＯＦ１４０とは、ユニット基板１５０上に実装された光トランシーバ１２０によってインターフェイスされる。また、ＰＯＦ１４０は、図示しない第１のコネクタ（例えば、プラグコネクタ）及び第２のコネクタ（例えば、レセプタクルコネクタ）からなる中継コネクタによって適宜中継されて、任意の距離まで光信号を伝送する。
【０００３】
ここで、光トランシーバ１２０は、第１のコネクタ（プラグコネクタ（雄コネクタ））１２２が嵌合される第２のコネクタ（レセプタクルコネクタ（雌コネクタ））１２１からなるコネクタ部１２３と、受信モジュール（受光素子）１２４及び送信モジュール（発光素子）１２５からなる受発光素子モジュール部１２６と、これらコネクタ部１２３と受発光素子モジュール部１２６とを中継する中継ＰＯＦ１２７とから構成されている。コネクタ部１２３の第２のコネクタ１２１は、受発光素子モジュール部１２６とＰＯＦ１４０とを中継ＰＯＦ１２７を介して結合するためのコネクタである。
【０００４】
このように、第２のコネクタ１２１と受発光素子モジュール部１２６とを中継ＰＯＦ１２７により分離した構造とすることにより、受信モジュール１２４及び送信モジュール１２５をユニット基板１５０上に実装された通信用ＩＣ１３０の近傍に配設し、両モジュール１２４，１２５と通信用ＩＣ１３０との間の配線長を短くすることができるため、高周波通信により発生するノイズの面で有利なデバイス１００を構成することができるようになる。なお、中継ＰＯＦ１２７のコネクタ部１２３側の端末部には、コネクタ用フェルール１２８が、受発光素子モジュール部１２６側の端末部には、モジュール用フェルール１２９が、それぞれ取り付けられ、ＰＯＦ１４０の第１のコネクタ１２２側の端末部には、フェルール１４１が取り付けられている。
【０００５】
図４は、この光トランシーバ１２０におけるコネクタ部１２３の構造を示す側面断面図である。図４に示すように、コネクタ部１２３は、ＰＯＦ１４０と中継ＰＯＦ１２７とを結合する中継コネクタであり、上述した第１のコネクタ１２２及び第２のコネクタ１２１から構成されている。第２のコネクタ１２１には、その内部に中継ＰＯＦ１２７が挿入されると共に、第１のコネクタ１２２には、その内部にＰＯＦ１４０が挿入されており、両コネクタ１２１，１２２を互いに嵌合することにより、ＰＯＦ１４０と中継ＰＯＦ１２７とを結合するように構成されている。
【０００６】
第２のコネクタ１２１は、第１のコネクタ１２２との接続側に、第１のコネクタ１２２のコネクタハウジング１５１が差し込まれる空間部１３１が形成されると共に、中継ＰＯＦ１２７との接続側に、インナーハウジング１３９が差し込まれる空間部１３８が形成され、また、これら空間部１３１，１３８の間に、両空間部１３１，１３８を連通する連通空間部１３７が形成されたコネクタハウジング１５２と、中継ＰＯＦ１２７の端末部に装着されたコネクタ用フェルール１２８と、このコネクタ用フェルール１２８をコネクタハウジング１５２の内部に取付固定するためのインナーハウジング１３９とから構成されている。
【０００７】
一方、第１のコネクタ１２２は、中心にＰＯＦ１４０の端末部に装着されたフェルール１４１を収容するためのフェルール挿入孔１５３及びこのフェルール挿入孔１５３よりも小さな内径を有する空間部１３６が形成されたコネクタハウジング１５１と、フェルール挿入孔１５３内に収容されたフェルール１４１とから構成されている。なお、このフェルール１４１の先端部には、空間部１３６に差し込まれる突出円筒１４１ａが形成されており、この突出円筒１４１ａ部分がコネクタ用フェルール１２８の先端部に形成された突出円筒嵌合部１２８ａに嵌合し、ＰＯＦ１４０の端面と中継ＰＯＦ１２７の端面とが当接する構造となっている。
【０００８】
インナーハウジング１３９には、内部に中継ＰＯＦ１２７を収容するコネクタ用フェルール１２８が取り付けられている。このコネクタ用フェルール１２８は、インナーハウジング１３９の凹部１３９ａ内に、例えば特殊形状の板バネ１４２によってその鍔部１４３が押し付けられることにより固定されている。このようにコネクタ用フェルール１２８が取り付けられたインナーハウジング１３９は、コネクタ用フェルール１２８の突出円筒嵌合部１２８ａが連通空間部１３７を通って空間部１３１に突出するような状態で、空間部１３８に連通するように形成された穴部１４４に係止突起１４５を係合することにより、空間部１３８内に係止固定されている。
【０００９】
このように構成されたコネクタ部１２３の構造では、コネクタ用フェルール１２８の突出円筒嵌合部１２８ａとフェルール１４１の突出円筒１４１ａとが互いに嵌合するように、コネクタ用フェルール１２８の突出円筒嵌合部１２８ａの内径とフェルール１４１の突出円筒１４１ａの外径とが同じ寸法になるように形成されると共に、コネクタ用フェルール１２８の突出円筒嵌合部１２８ａの外径とコネクタハウジング１５１の空間部１３６の内径とが同じ寸法になるように形成されている。
【００１０】
【発明が解決しようとする課題】
しかしながら、このような構造によるコネクタ部１２３では、特にコネクタ用フェルール１２８の構造が複雑なものになると共に、コネクタ用フェルール１２８をコネクタハウジング１５２に取り付けるためには、特殊形状の板バネ１４２やインナーハウジング１３９等の部品を製造して取り付ける必要があるため、コネクタ部１２３の組立作業が複雑なものになると共に、部品コストが増加してしまうという問題がある。また、コネクタ用フェルール１２８の突出円筒嵌合部１２８ａの空間部１３１内への突出量は、インナーハウジング１３９の係止突起１４５とコネクタハウジング１５２の穴部１４４との嵌合精度により決定され、更に、ＰＯＦ１４０と中継ＰＯＦ１２７との接続は、コネクタ部１２３を構成する各部品の精度管理により接続精度が出されるため、各部品の製造精度を高く維持しなければ、嵌合誤差や寸法誤差等の原因によりＰＯＦ１４０と中継ＰＯＦ１２７との光接続損失が増大し、光通信の信頼性が低下してしまう場合もある。
【００１１】
この発明は、このような問題点に鑑みてなされたもので、コネクタ部におけるフェルールの取付構造を簡単にしつつ低コスト化を促進し、光通信の接続信頼性を向上させることができる光コネクタを提供することを目的とする。
【００１２】
【課題を解決するための手段】
この発明に係る光コネクタは、光ファイバを結合する第１のコネクタが嵌合される第２のコネクタからなる光コネクタにおいて、前記第２のコネクタは、前記光ファイバの端末部に外装されて、先端部が他の部分よりも小径の筒状部を形成すると共に、この筒状部に続く基端部との境界位置に前記筒状部の外周に沿って少なくとも１つの鍔部が形成されたコネクタ用フェルールと、前記第１のコネクタとの嵌合方向先端側に前記第１のコネクタの先端部を収容するコネクタ収容空間部を形成すると共に、前記コネクタ収容空間部内に前記コネクタ用フェルールの筒状部を収容するスリーブを突設し、このスリーブの内孔に連通する基端側に前記コネクタ用フェルールの基端部を収容する、前記鍔部の外径よりも大径の内径を有するフェルール収容部を形成し、このフェルール収容部と前記スリーブの内孔の基端部との間に段差部を形成し、前記フェルール収容部の外壁部に前記光ファイバを取り付けるためのファイバ取付部材の係合部が係合する取付部材係合部を形成してなるコネクタハウジングと、このコネクタハウジングの前記フェルール収容部の段差部方向に、前記コネクタ用フェルールの鍔部を所定のバネ圧をもって押し付ける状態で前記コネクタ用フェルールが外装された前記光ファイバの端末部を前記コネクタハウジングに取り付ける前記ファイバ取付部材とを備えてなることを特徴とする。
【００１３】
この発明によれば、コネクタハウジング内にコネクタ用フェルールが外装された光ファイバの端末部を取り付ける場合、ファイバ取付部材でコネクタ用フェルールの鍔部をコネクタハウジングのフェルール収容部の段差部方向に押し付けて取り付ける構造を実現する。このため、コネクタハウジング内にコネクタ用フェルールを取り付けるための従来のインナーハウジングや特殊形状の板バネ等の部品が不要になると共に、コネクタ用フェルールの構造を簡単なものにすることができる。これにより、光コネクタの部品コストを抑えつつ組立作業を簡易化することが可能となる。また、部品点数が少なくなることにより各部品の精度管理の負担が軽減すると共に、光接続に供される部品の数も少なくなるため、光接続信頼性の低下を抑えることも可能となる。
【００１４】
なお、ファイバ取付部材は、フェルール収容部にコネクタ用フェルールを収容した状態でフェルール収容部の基端側開口部を塞ぐようにコネクタハウジングに装着されるストッパ部材と、コネクタ用フェルールの鍔部とストッパ部材との間に装着されてコネクタ用フェルールの鍔部をフェルール収容部の段差部方向に押圧するように付勢するスプリングとを備えてなり、ストッパ部材は、コネクタハウジングへの装着時に、コネクタハウジングの取付部材係合部と対応する位置に係合部を形成してなることが好ましい。
【００１５】
また、この場合、コネクタハウジングの取付部材係合部は、突起部であり、ストッパ部材の係合部は、コネクタハウジングへの装着時に、突起部を乗り越えて突起部と係合する係合片であることが好ましい。
【００１６】
なお、コネクタ用フェルールは、金属又は樹脂からなるものであることが好ましい。
【００１７】
【発明の実施の形態】
以下、添付の図面を参照して、この発明の実施の形態を説明する。
図１は、この発明の一実施形態に係る光コネクタが適用された光トランシーバを構成する各部品を示す分解斜視図、図２は、同光トランシーバを示す側面断面図である。
図１に示すように、この光トランシーバ１は、光電変換素子としての受信モジュール（受光素子）２４及び送信モジュール（発光素子）２５をそれぞれ内蔵したモジュールハウジング２６と、このモジュールハウジング２６を覆うように内部に収容するシールドケース３５と、モジュールハウジング２６に内蔵された受信モジュール２４及び送信モジュール２５と外部のプラスティック光ファイバ（以下、「ＰＯＦ」と呼ぶ。）４０とを光学的に中継するための中継プラスティック光ファイバ（以下、「中継ＰＯＦ」と呼ぶ。）２７と、フェルール４１が端末部に装着された外部のＰＯＦ４０を収容する第１のコネクタ（例えば、プラグコネクタ）２２が嵌合される第２のコネクタ（例えば、レセプタクルコネクタ）２１と、中継ＰＯＦ２７の一方の端末部に装着され、レセプタクルコネクタ２１と結合されるコネクタ用フェルール２８と、中継ＰＯＦ２７の他方の端末部に装着され、モジュールハウジング２６と結合されるモジュール用フェルール２９とを備えて構成され、これらがユニット基板５１（図２参照）上に実装された構造からなる。
【００１８】
モジュールハウジング２６は、例えば樹脂成型部材からなり、受信モジュール２４及び送信モジュール２５をそれぞれ内部に収容するモジュール収容部２６ａ，２６ｂと、これらモジュール収容部２６ａ，２６ｂのモジュール用フェルール２９との接続側に突出するように一体的に形成され、モジュール用フェルール２９の先端部がそれぞれ挿入されて収容されるスリーブ３４ａ，３４ｂとを備えて構成されている。
【００１９】
シールドケース３５は、例えば金属薄板等の材料をプレス加工等により箱型に成形したものであり、モジュールハウジング２６のスリーブ３４ａ，３４ｂのモジュール用フェルール２９との接続方向先端側に対応する位置の壁部３５ｃに、Ｕ字型の切欠部３５ａ，３５ｂがそれぞれ形成されている。これら切欠部３５ａ，３５ｂには、後述するモジュール用フェルール２９の溝部が嵌合する構造となっている。また、これら切欠部３５ａ，３５ｂ形成側の壁部３５ｃと反対側に位置する壁部３５ｄには、シールドケース３５の内部空間に連続した３辺が入り込むように切り欠いて折り曲げられた矩形状のバネ片（図示せず）が複数形成されている。
【００２０】
中継ＰＯＦ２７は、図２に示すように、中心のファイバ素線２７ａを被覆部２７ｂで覆った構造からなるものであり、モジュールハウジング２６との接続方向側では、この被覆部２７ｂが除去されて、ファイバ素線２７ａが直接モジュール用フェルール２９のファイバ挿入孔２９ｄの内面に、例えば接着剤等で固着されている。同様に、レセプタクルコネクタ２１との接続方向先端側でも被覆部２７ｂが除去されて、ファイバ素線２７ａが直接コネクタ用フェルール２８のファイバ挿入孔２８ｄの内面に接着剤等で固着されている。
【００２１】
レセプタクルコネクタ２１は、プラグコネクタ２２との嵌合側に、プラグコネクタ２２のコネクタハウジング１１が嵌合する、コネクタハウジング１１の外形に合わせた形状の凹状のコネクタ収容空間部１２が形成されると共に、中継ＰＯＦ２７との接続側に、中継ＰＯＦ２７の端末部に外装されたコネクタ用フェルール２８の基端部２８ｈを収容するフェルール収容部１３が形成され、図２に示すように、コネクタ収容空間部１２内にコネクタ用フェルール２８の筒状部２８ｇを収容するスリーブ部３０が突設されたコネクタハウジング１４と、中継ＰＯＦ２７の端末部に外装されたコネクタ用フェルール２８を、コネクタハウジング１４内に位置決め固定するためのコイル状のスプリング４２及びストッパ部材４３からなるファイバ取付部材４４とから構成されている。
【００２２】
なお、コネクタハウジング１４のコネクタ収容空間部１２内に突設されたスリーブ部３０の内孔３０ａの基端部とフェルール収容部１３の内部空間１３ａの先端部との間には、段差部１３ｂが形成されると共に、フェルール収容部１３の外壁部１３ｃには、ファイバ取付部材４４の係合部としての係合片１６が係合する取付部材係合部としての係合突起１５が形成されている。
【００２３】
ファイバ取付部材４４を構成するスプリング４２のコネクタハウジング１４側の端部は、コネクタ用フェルール２８の筒状部２８ｇと基端部２８ｈとの境界位置に筒状部２８ｇの外周に沿って形成された鍔部２８ａに当接し、他方の端部はストッパ部材４３の基端部４３ａに当接する。なお、ストッパ部材４３には、フェルール収容部１３の外壁部１３ｃに形成された係合突起１５と対応する位置に、上述した係合片１６が形成されている。この係合片１６は、ファイバ取付部材４４のコネクタハウジング１４への着脱時に、係合突起１５を乗り越えるような柔軟性を備えて形成されており、コネクタハウジング１４への装着時に、係合突起１５を乗り越えて係合突起１５と係合する構造からなる。
【００２４】
なお、後ほど詳しく説明するが、スプリング４２及びストッパ部材４３から構成されるファイバ取付部材４４により、フェルール収容部１３内に収容されるコネクタ用フェルール２８は、常にコネクタ収容空間部１２方向へ押し付けられた状態で収容される。
【００２５】
一方、プラグコネクタ２２は、フェルール４１が外装されたＰＯＦ４０の端末部を内部に収容するコネクタハウジング１１から構成されている。フェルール４１は、コネクタハウジング１１に形成されたフェルール挿入孔１１ａに挿入された後、固定部材５０を取り付けることによりプラグコネクタ２２内に取付固定される。なお、フェルール４１の基端部４１ｈの筒状部４１ｇ側の外壁には、外周に沿って溝部４１ａが形成されており、この溝部４１ａに、フェルール挿入孔１１ａに連通する固定部材取付穴１１ｂに嵌め込まれた固定部材５０が嵌合し、フェルール４１がプラグコネクタ２２内に位置決め固定される構造となっている。また、コネクタハウジング１１の先端側には、コネクタハウジング１４のスリーブ部３０が嵌合すると共に、フェルール挿入孔１１ａに連通するスリーブ収容空間部１１ｃが形成されており、フェルール４１は、その筒状部４１ｇがこのスリーブ収容空間部１１ｃ内に位置するような状態でコネクタハウジング１１に取付固定される。このような構造により、レセプタクルコネクタ２１との嵌合時には、コネクタハウジング１４のスリーブ部３０がスリーブ収容空間部１１ｃ内に収容されると共に、フェルール４１の筒状部４１ｇがスリーブ部３０の内孔３０ａ内に収容される。
【００２６】
コネクタ用フェルール２８は、金属又は樹脂等の材料からなり、筒状部２８ｇと基端部２８ｈとの境界位置に、外周に沿って形成された第１の鍔部２８ａと筒状部２８ｇの外周に沿って形成された第２の鍔部２８ｂとを備え、図２に示すように、内部に中継ＰＯＦ２７を収容するファイバ挿入孔２８ｃ，２８ｄが形成された構造からなる。なお、第１及び第２の鍔部２８ａ，２８ｂに挟まれた部分には、溝部２８ｅが形成されているが、このような鍔部はコネクタ用フェルール２８に少なくとも１つ形成されていれば良いため、例えば第１の鍔部２８ａのみが形成された場合は溝部２８ｅは形成されていなくても良い。ファイバ挿入孔２８ｃは、中継ＰＯＦ２７を被覆部２７ｂごと収容することができるように、中継ＰＯＦ２７の外径に合わせた内径を有し、ファイバ挿入孔２８ｄは、中継ＰＯＦ２７のファイバ素線２７ａを収容するために、ファイバ挿入孔２８ｃの内径よりも小さく、ファイバ素線２７ａの外径に合わせた内径を有するように形成されている。
【００２７】
一方、モジュール用フェルール２９は、第１及び第２の鍔部２９ａ，２９ｂとファイバ挿入孔２９ｃ，２９ｄとを備え、上記コネクタ用フェルール２８と同一形状、同一構成で形成された構造からなるため、ここでは詳しい説明を省略するが、両鍔部２９ａ，２９ｂに挟まれた部分の溝部２９ｅがシールドケース３５の切欠部３５ａ，３５ｂに嵌合し、鍔部２９ｂがこれら切欠部３５ａ，３５ｂのシールドケース３５の内部空間側の縁部に嵌合する点が相違している。
【００２８】
中継ＰＯＦ２７のレセプタクルコネクタ２１側の端末部には、図２に示すように、コネクタ用フェルール２８が装着されており、このコネクタ用フェルール２８は、その先端部の筒状部２８ｇがコネクタハウジング１４のスリーブ部３０の内孔３０ａに収容され、且つ基端部２８ｈがフェルール収容部１３の内部空間１３ａ内に収容されるようにフェルール収容部１３側からコネクタハウジング１４に挿入される。この状態でコネクタハウジング１４の基端側からスプリング４２及びストッパ部材４３からなるファイバ取付部材４４がフェルール収容部１３に取り付けられる。なお、スプリング４２は、コネクタ用フェルール２８の基端部２８ｈの外周側に取り付けられる。また、ストッパ部材４３は、スプリング４２を基端部４３ａ側から押圧して、係合片１６がフェルール収容部１３の係合突起１５に係合することをもってコネクタハウジング１４に取り付けられる。この結果、コネクタ用フェルール２８は、鍔部２８ａがフェルール収容部１３の段差部１３ｂ方向に所定のバネ力をもって押し付けられた状態でコネクタハウジング１４内に装着されることとなる。これにより、コネクタ用フェルール２８の筒状部２８ｇの先端面は、フェルール４１の筒状部４１ｇの先端面とスリーブ部３０の内孔３０ａ内で当接する。このため、コネクタ用フェルール２８とフェルール４１との間で、中継ＰＯＦ２７とＰＯＦ４０との光接続損失は起こり難くなる。また、この例では、コネクタ用フェルール２８とモジュール用フェルール２９とが同一形状等の共通部品であるため、部品の共通化によるコストダウンを図ることも可能となる。
【００２９】
【発明の効果】
以上述べたように、この発明によれば、コネクタハウジング内にコネクタ用フェルールが外装された光ファイバの端末部を取り付ける場合、ファイバ取付部材でコネクタ用フェルールの鍔部をコネクタハウジングのフェルール収容部の段差部方向に押し付けて取り付ける構造を実現する。このため、コネクタハウジング内にコネクタ用フェルールを取り付けるための従来のインナーハウジングや特殊形状の板バネ等の部品が不要になると共に、コネクタ用フェルールの構造を簡単なものにすることができる。これにより、光コネクタの部品コストを抑えつつ組立作業を簡易化することが可能となる。また、部品点数が少なくなることにより各部品の精度管理の負担が軽減すると共に、光接続に供される部品の数も少なくなるため、光接続信頼性の低下を抑えることも可能となる。
【図面の簡単な説明】
【図１】この発明の一実施形態に係る光コネクタが適用された光トランシーバを構成する各部品を示す分解斜視図である。
【図２】同光トランシーバを示す側面断面図である。
【図３】光ＬＡＮシステム等の光通信システムの基本構成の一部を示す概略図である。
【図４】同光通信システムの光トランシーバにおけるコネクタ部の構造を示す側面断面図である。
【符号の説明】１…光トランシーバ、１１，１４…コネクタハウジング、１２…コネクタ収容空間部、１３…フェルール収容部、１５…係合突起、１６…係合片、２１…レセプタクルコネクタ、２２…プラグコネクタ、２４…受信モジュール、２５…送信モジュール、２６…モジュールハウジング、２７…中継ＰＯＦ、２７ａ…ファイバ素線、２７ｂ…被覆部、２８…コネクタ用フェルール、２８ａ，２８ｂ，２９ａ，２９ｂ…鍔部、２８ｃ，２８ｄ，２９ｃ，２９ｄ…ファイバ挿入孔、２８ｅ，２９ｅ…溝部、２９…モジュール用フェルール、３０…スリーブ部、３４ａ，３４ｂ…スリーブ、３５…シールドケース、３５ａ，３５ｂ…切欠部、４０…ＰＯＦ、４１…フェルール、４２…スプリング、４３…ストッパ部材、５０…固定部材、５１…ユニット基板。
【図１】
2004020895.tif 000003
【図２】
2004020895.tif 000004
【図３】
2004020895.tif 000005
【図４】
2004020895.tif 000006